(57)【特許請求の範囲】
【請求項１】
支持杆の先端に固定する本体から突出させ、モータなどの動力源によって回転駆動される回転軸の先端部に刈り刃を装着し、刈り刃の回転によって雑草などの刈取りを行う草刈機において、
回転軸の先端に合成樹脂材で一体に成型した筒状であって、その上端部に内筒と外方に拡径するスカート部とで断面略Ｖ字状に形成し、先端に刈り刃を装着する取付け台を固定し
該取付け台に形成した断面略Ｖ字状の空間内に本体の下端を位置させ、上方に向けて拡径するスカート部の上端で本体の下端外周を囲繞したことを特徴とする草刈機における絡み防止構造。
【発明の詳細な説明】
【技術分野】
【０００１】
支持杆の先端に固定する本体から突出させた回転軸に刈り刃を装着し、刈り刃の回転によって雑草の刈取り作業を行う草刈機に関し、刈取った草や異物が回転軸に絡むのを防止する絡み防止構造に係る発明である。
【背景技術】
【０００２】
雑草の刈取りを行うために、高速回転をする刈り刃によって刈取り作業を行う草刈機が汎用されている。この種草刈機では、刈取った草や作業地にあったごみなどの異物が回転軸に絡みつき、作業に支障を来たす事態が発生する。このような事態に対処するため、絡み防止のための手段が工夫されている。
特許文献１には、回転軸に回転軸保護部材を取付け、回転軸保護部材の一部に刃部を形成することによって、回転軸部分に侵入しようとする、刈取った草などを切断することによって絡みを防止する思想が開示されている。特許文献２には、刃板の回転軸部分に異物が侵入するのを防止するため、フランジ型の絡み防止部材を設ける思想が、特許文献３には、つる草などが回転軸に巻きつかないように、支持杆と刈り刃面の間に三角形の板状の部材を刃面に接近させて配置し、刈り刃の回転によってつるなどが回転軸を周回するのを防止する思想が開示されている。
【特許文献１】特開平１１−１８５４３号公報
【特許文献２】特開平１１−１６８９３９号公報
【特許文献３】特２００１−１０３８２４号公報
【発明の開示】
【発明が解決しようとする課題】
【０００３】
特許文献１に開示されるような、切断刃によって絡んだものを切断する発想のものでは、切断刃(刃部)が切れなくなると絡みを防止することができない。また、切断刃よりも内側に侵入した異物や刈取った草が回転軸に絡むのを防止することができないとともに、構造そのものが複雑であって、切断刃が作業者にとって危険である。
特許文献２や３に開示されるように、回転軸に達する異物を排除する構造では、固定されている絡み防止部材と回転する刃板の間の隙間を完全に無くすことができないため、異物が隙間から侵入する可能性があり、必ずしも絡みを効果的に防止することができない欠点があった。
本発明は、上記従来技術の欠点に鑑み、より簡単な構造で刈取った草が回転軸に絡みつくのを防止することができる構造を実現しようとするものである。
【課題を解決するための手段】
【０００４】
上記目的を達成するため、本発明を実施する草刈機は、支持杆２の先端に固定する本体１から突出させ、モータなどの動力源によって回転駆動される回転軸３の先端部に刈り刃４を装着し、刈り刃４の回転によって雑草などの刈取りを行う。
上記の草刈機において、回転軸３に装着する刈り刃４と本体１との間に、回転軸３とともに回転する上方に向けて拡径されたテーパ状のスカート部６を配置する。このとき、スカート部５の上端は本体１の下端1a外周よりも外方に拡径させておく。これにより、刈取った草などの異物は、回転軸とともに回転するスカート部６において弾き飛ばされる。
【０００５】
前記スカート部６は、合成樹脂材で一体に成型し回転軸３の先端に固定する取付け台５に形成する。すなわち、取付け台５は、筒状であってその上端部を内筒5aと外方に拡径するスカート部６とで断面略Ｖ字状に形成し、先端に刈り刃４を装着する。
取付け台５の上端部に形成した断面略Ｖ字状の空間内に本体１の下端1aを位置させ、本体１の下端1aを上方に向けて拡径するスカート部６の上端で囲繞する。
【発明の効果】
【０００６】
請求項１記載の本発明草刈機における絡み防止構造によれば、刈り刃４によって切断された草や異物が、下方や斜め下方から回転の中心方向に飛散した場合、回転軸３とともに回転するスカート部６に衝突する。このとき、スカート部６が傾斜面であること及び高速で回転していることから、スカート部６に下方から衝突した異物は、外方に弾き飛ばされる。そのため、異物が回転軸に絡むのを効果的に防止することができる。
【０００７】
そして、本発明では、回転軸３の先端に固定する合成樹脂材で一体に成型した刈り刃４を装着するための取付け台５にスカート部６を形成するため、構造を簡略化することができる。より具体的には、筒状の取付け台５の上端部を内筒5aと外方に拡径するスカート部６とで断面略Ｖ字状に一体に形成し、取付け台５の先端に刈り刃４を装着する。
【０００８】
さらに、取付け台５の上端部に形成した断面略Ｖ字状の空間内に、本体１の下端1aを位置させることによって、刈取った草などの異物が回転軸部分に侵入するのをより確実に防止することができる。仮に、取付け台５の上端部に異物が絡みつくとしても、刈り刃４と同じ回転をする大径の内筒5a部分であって、雑草が絡むことは少なく、絡んだとしても容易に取り除くことができる。
【発明を実施するための最良の形態】
【０００９】
以下、本発明に係る草刈機における絡み防止構造の、好ましい実施形態を添付の図面に基づいて説明する。
図１は、草刈機の先端部分の分解斜視図、図２は草刈機の先端部分のみの縦断面図、図３は草刈機の先端部分の平面図、図４は草刈機の先端部分の底面図、図５は草刈機先端の一部分の拡大図、図６は草刈機全体の側面図である。
【００１０】
図示実施形態の草刈機は、支持杆２の先端に本体１を固定し、支持杆２の基端に固定したハンドル７を握って、本体１に装着した高速回転をする刈り刃４によって、雑草などの被切断物Ａの刈取り作業を行う比較的簡便な草刈機である。ハンドル７には、握った手指で操作を行うことができるスイッチ８、ロックボタン９及び図示していないバッテリーを備えている。
【００１１】
本体１内にはモータ10を内蔵し、モータ10の出力軸を回転軸３とし、この回転軸３に刈り刃４の取付け台５を固定している。したがって、モータ10によって回転軸３が回転し、回転軸３に固定した取付け台５に装着した刈り刃４によって雑草などの刈取り作業を進めることができる。このとき、取付け台５の上端には、刈取った雑草などの異物が絡むのを防止するためのスカート部６が形成してある。本体１の下端後半部には、刈り刃４の上方部を覆うガード板11を固定し、ガード板11の上面に円環状のガードリング12を着脱自在に装着している。
【００１２】
本体１に固定するガード板11は、図３、図４に示すように後方部分のみを覆う扇形であり、刈り刃４によって弾き飛ばされた小石などが作業者に当たるのを防止するものである。一方、ガード板11の上面に装着するガードリング12は、刈り刃４の回転軌跡よりも外方に位置し、刈り刃４に柔軟な雑草などの被切断物以外の障害物が衝突するのを防止するものである。換言すれば、付近の人を誤って傷つけたり、刈り刃４によって切断できないものが刈り刃４に当たるのを防止する安全ガードとして機能する。
【００１３】
上記、扇形のガード板11は図１及び図２から理解されるように、本体１の後方半周に形成した嵌合溝13にガード板11の内周部分を嵌合させるとともに、ガード板11に形成した爪14を本体１の一部に係合させることによって着脱自在としている。ガード板11の上面の、円弧状軌跡の複数位置に、ガードリング12の保持手段を設けてある。すなわち、ガードリングが嵌まり込む溝15を備えた保持部16と、ガードリング12を下から支受する支持板17，17を扇形のガード板11に配置してある。そして、ガードリング12として、一定寸法の柔軟性を有する合成樹脂製のチューブ材を利用し、両端をそれぞれ保持部16の溝15に嵌め込んで保持させるとともに、中間位置の二箇所を支持板17によって支持させている。
【００１４】
本体１内に収容されたモータ10によって駆動される回転軸３(図示実施形態ではモータの出力軸)に装着する刈り刃４の取付け台５は、合成樹脂材を用いて、下端を閉塞した円筒状に成型し、上端部に上方に向けて拡径されるスカート部６を形成している。より具体的には、円筒の上端部分を内筒5aとし、外方に広がるスカート部６を一体に形成することによって、該部分の断面形状を略Ｖ字状としている。スカート部６の外径は、本体１の下端1a外径よりも少し大きく形成するとともに、本体１の下端面には取付け台５の内筒5aが入り込む直径の凹所1bが形成してある。したがって、取付け台５を回転軸３に固定することによって、取付け台５の内筒5aが凹所1bに入り込み、やや先細りに形成した本体１の下端1aが、内筒5aとスカート部６によって形成されるＶ字状の空間に位置することになる。
【００１５】
刈り刃４の取付け台５に形成するスカート部６は、さほど大きなものである必要はなく、本体１の下端部を僅かに覆う程度であり、図示実施形態においては、スカート部６の傾斜角度を45度ないし60度程度としている。
【００１６】
図示例の草刈機では、刈り刃４をプロペラ状に形成している。このプロペラ状の刈り刃４は、ナイロン樹脂などの柔軟性を有する合成樹脂材で成型し、取付け台５に着脱自在に装着することができるようにしている。
すなわち、刈り刃４は偏平な板状であり、中央を広幅部4a、左右両側を細幅部4bとし、細幅部4bの左右両側縁を鋭利な刃部4cとし、広幅部4aに長孔4dを穿設している。一方、刈り刃４を装着する円筒状の取付け台５の端面には、図４に示すように刈り刃の広幅部4aと細幅部4bの一部が嵌まり込む形状の凹所18を形成し、凹所18の解放端部分に凹所18に配置した刈り刃４が外方に抜け出さないように、開放端の左右両側から係止爪19を突出させるとともに、溝15内に刈り刃４の長孔4dに係合する係合突起20を突出させている。
【００１７】
上記構成とした刈り刃４を取付け台５の凹所18に装着するには、図２に点線で示すように刈り刃４を手指で大きく撓ませ、取付け台５端面の凹所18に刈り刃４の広幅部4aを嵌め込む。すなわち、刈り刃４を撓ませることによって細幅部4bから広幅部4aを係止爪19の下側に挿入し、装着の所定位置において手指による撓みを解放する。これによって、刈り刃４は刈り刃の中央部の形状に形成した凹所18内に、容易に脱落しない状態で嵌め込むことができる。このとき、凹所18内に突出形成した係止突起20が刈り刃４の長孔4dに係合し、刈り刃４の長手方向の移動を確実に防止する。
刈り刃４は、合成樹脂製とすることによって使い捨てとし、細幅部4bの左右両側に刃部4cを形成することによって一つの刈り刃を反転させて使用することができる。
【００１８】
以上述べた構造の草刈機によって、雑草などの刈取りを行うと、刈り刃４によって刈取られた草は、刈り刃４の遠心力によって上方や外方に飛散する。このとき、上中心方向に向けて飛散図した草はスカート部６に衝突する。斜め下方からスカート部６に衝突した草は図５に示すように、スカート部６の遠心力によって効果的に外方に弾き飛ばされる。スカート部６で弾き飛ばされる方向は、スカート部６の傾斜角度に関連し、本発明者らの実験によれば、スカート部の傾斜角度を図示実施形態のように45度ないし60度程度の傾斜角としたときに最も効果的であった。
【００１９】
すなわち、スカート部６は傾斜面であることと、刈り刃４とともに高速回転をするものであることによって、刈取った草を効果的に排除することができるものであり、例えば刈り刃４の上方に固定状態で、水平方向のフランジ部材を配置するようなものでは、弾き飛ばされた異物は直下方向や内方に向けても撥ね返る可能性があり、入り込んだ異物を効果的に排除することはできないものである。
【図面の簡単な説明】
【００２０】
【図１】図１は、草刈機の先端部分の分解斜視図、
【図２】図２は、草刈機の先端部分のみの縦断面図、
【図３】図３は、草刈機の先端部分の平面図、
【図４】図４は、草刈機の先端部分の底面図、
【図５】図５は、草刈機先端の一部分の拡大図、
【図６】図６は、草刈機全体の側面図。
【符号の説明】
【００２１】
１…本体、  1a…下端、  1b…凹所、  ２…支持杆、  ３…回転軸、  ４…刈り刃、  4a…広幅部、  4b…細幅部、  4c…刃部、  4d…長孔、  ５…取付け台、  5a…内筒、  ６…スカート部、  ７…ハンドル、  ８…スイッチ、  ９…ロックボタン、  10…モータ、  11…ガード板、  12…ガードリング、  13…嵌合溝、  14…爪、  15…溝、  16…保持部、  17…支持板、  18…凹所、  19…係止爪、  20…係止突起。
【図１】
0004573245.tif 000002
【図２】
0004573245.tif 000003
【図３】
0004573245.tif 000004
【図４】
0004573245.tif 000005
【図５】
0004573245.tif 000006
【図６】
0004573245.tif 000007